(57)【特許請求の範囲】
【請求項１】
車両床面の前後方向に沿って設けられる固定レールにランナーがスライド自在に装着されると共に、シートクッション下側のレッグフレームが前記ランナーに着脱自在に取付けられ、ランナーに設けたスライドロックラッチが固定レールのロック穴に係止してシートが固定レールに固定され、シートクッション側のレッグフレームに設けられたスライドロック解除機構と連繋動作して、シートスライドのスライドロックラッチを動作させる作動アームがランナーに設けられた脱着式スライドシートにおいて、
前記ランナーの少なくとも上面を覆う樹脂成形体からなるスライドカバーフィニッシャーが取付けられていることを特徴とする脱着式スライドシート。
【請求項２】
前記作動アームの外側端末に操作用ノブが取付けられると共に、ランナーの上面を覆うスライドカバーフィニッシャーには、前記作動アームに取付けた操作用ノブを外部に臨ませる切欠が形成されていることを特徴とする請求項１に記載の脱着式スライドシート。
【発明の詳細な説明】
【０００１】
【発明の属する技術分野】
本発明は、脱着式スライドシートに関し、更に詳細に説明すると、車両床面の前後方向に沿って設けられる固定レールにランナーがスライド自在に装着されると共に、シートクッション下側のレッグフレームが前記ランナーに着脱自在に取付けられ、ランナーに設けたスライドロックラッチが固定レールのロック穴に係止してシートが固定レールに固定され、シートクッション側のレッグフレームに設けられたスライドロック解除機構と連繋動作して、シートスライドのスライドロックラッチを動作させる作動アームがランナーに設けられた脱着式スライドシートに関する。
【０００２】
【従来の技術】
通常、ワゴン車等では、図６に示すように、車両床面の左右側に固定レール１が配設されており、フロントシート（１列目シート）２、セカンドシート（２列目シート）３、サードシート（３列目シート）４が夫々シートの前後位置を調整できるようになっており、特に、ワゴン車室内のスペースの有効利用を図るために、セカンドシート３を脱着式に構成した脱着式スライドシートを使用することが多く、その場合には、図７に示すように、固定レール１に対してランナー５がスライド自在に装着され、このランナー５に対してセカンドシート３が脱着可能に取付けられる構成となる。
【０００３】
また、ランナー５には、固定レール１に対してセカンドシート３を所定位置でロックするスライドロック機構が設けられており、図８に示すように、固定レール１のロック孔１ａに対してスライドロックラッチ６のラッチ爪６ａが係合することにより、所定位置でロックされ、このスライドロックラッチ６は作動アーム７により連繋動作し、バネによりスライドロックラッチ６は下方向に付勢され、ロック状態を維持すると共に、作動アーム７の外側端末を下方向に押し下げることにより、スライドロックラッチ６が上方に移動して、スライドロックが解除される。
【０００４】
尚、図示はしないが、セカンドシート３に設けられた操作レバーを操作することにより、作動アーム７の外側端末のピンを押し下げ、スライドロックの解除を行なうようにしており、特に、最近のワゴン車のセカンドシート３のようにシート方向を前後方向に変更可能なシートにおいては、シート方向が何れの方向であってもロック解除できるように、スライドロックラッチ６の前後位置に略対称形状に一対の作動アーム７が設置されている。
【０００５】
【発明が解決しようとする課題】
このように、ワゴン車のセカンドシート３のように、脱着式スライドシートにおいては、車室内の有効スペースを確保するために、セカンドシート３をランナー５から取外した場合、ランナー５は取外した位置でそのまま残り、荷物類を搭載する際の支障になると共に、複雑形状の金属板で構成されているために、車室内に違和感を与え、見栄え上も好ましいものではなかった。
【０００６】
本発明の目的は、ワゴン車のセカンドシートのように、車両床面に固定される固定レールに対してスライド可能で且つ脱着できる脱着式スライドシートにおいて、シートを取外した後にもランナーを適正位置に移動することができると共に、外観見栄えを向上させ、室内美観の向上に貢献できる脱着式スライドシートを提供するものである。
【０００７】
【課題を解決するための手段】
本発明は上述せる課題に鑑みてなされたもので、本発明の請求項１に記載の脱着式スライドシートは、車両床面の前後方向に沿って設けられる固定レールにランナーがスライド自在に装着されると共に、シートクッション下側のレッグフレームが前記ランナーに着脱自在に取付けられ、ランナーに設けたスライドロックラッチが固定レールのロック穴に係止してシートが固定レールに固定され、シートクッション側のレッグフレームに設けられたスライドロック解除機構と連繋動作して、シートスライドのスライドロックラッチを動作させる作動アームがランナーに設けられた脱着式スライドシートにおいて、前記ランナーの少なくとも上面を覆う樹脂成形体からなるスライドカバーフィニッシャーが取付けられていることを特徴とする。
【０００８】
従って、請求項１に記載の脱着式スライドシートによれば、シートを取外したランナーの外表面の少なくとも上面は、スライドカバーフィニッシャーで覆われているため、外観上好ましいと共に、搭載荷物類が金属エッジ等により損傷を受けることがない。
【０００９】
次いで、本発明の請求項２に記載の脱着式スライドシートは、前記作動アームの外側端末に操作用ノブが取付けられると共に、ランナーの上面を覆うスライドカバーフィニッシャーには、前記作動アームに取付けた操作用ノブを外部に臨ませる切欠が形成されていることを特徴とする。
【００１０】
従って、請求項２に記載の脱着式スライドシートによれば、ランナーに設けられている作動アームの外側端末には操作用ノブが設けられ、この操作用ノブはスライドカバーフィニッシャーの切欠から外部に露出しているため、ランナーからシートを取外した後、スライドカバーフィニッシャー表面から外部に露出している操作ノブを操作することにより、固定レールに対してランナーのロックを簡単に解除でき、適切位置にランナーを移動することができ、ランナーは荷物類を搭載する際等の支障にならない。
【００１１】
【発明の実施の形態】
以下、本発明に係る脱着式スライドシートの実施の形態について、ワゴン車のセカンドシートに適用した実施の形態について図面を参照して詳述する。
図１はワゴン車の通常のシートアレンジを示す説明図、図２はワゴン車のセカンドシートを取外した状態を示す説明図、図３はセカンドシートの全体構成を示す側面図、図４はセカンドシートに適用するランナーの構成を示す分解斜視図、図５はランナーの斜視図である。
【００１２】
図１及び図２において、ワゴン車１０には、３列の車両用シート、即ち、ファーストシート（１列目シート）１１、セカンドシート（２列目シート）１２、サードシート（３列目シート）１３が設けられており、これら３列のシート１１，１２，１３は、車両床面に前後方向に沿って設けられている固定レール１４に沿って前後方向にスライドでき、前後方向に沿う適正位置を選択できる。
【００１３】
また、ワゴン車１０室内の有効スペースを確保するために、図２に示すようにセカンドシート１２を取外すことができ、特に本発明では、このセカンドシート１２を支持するランナー２０が適宜位置に移動できることにより、荷物類の搭載に邪魔になることがなく、且つ体裁もよく、荷物類が金属エッジ等により損傷を受けることがない。
【００１４】
次いで、図３において、セカンドシート１２の全体構成について説明する。
まず、セカンドシート１２は、乗員が着座するシートクッション１２１に対して適宜リクライニング角度を調整できるシートバック１２２が取付けられ、シートクッション１２１の下部には、シートクッションフレーム１２３が備わり、このシートクッションフレーム１２３を支持するレッグフレーム１２４がシートクッションフレーム１２３の左右側に設けられている。
【００１５】
そして、車両の床面に前後方向に沿って延びる左右一対の固定レール１４に対してランナー２０がスライド自在に装着され、このランナー２０に対してレッグフレーム１２４のフック１２５及びリヤ側のラッチ１２６を夫々係着部として脱着可能に取付けられる。
【００１６】
次に、ランナー２０の構成について図３及び図４を基に説明すると、ランナー２０は、長尺状の金属プレートを２枚重ね合わせてランナー本体２１が構成され、このランナー本体２１の下縁には、固定レール１４の溝内に嵌まり込むスライド部２１１が折曲形成されている。
【００１７】
また、ランナー本体２１の前後２箇所には、ローラー機構２２が取付けられている。このローラー機構２２は、ローラーを支持する回転軸を軸受けするローラーブラケット２２１の取付穴２２２に、ランナー本体２１の取付穴２１２を通してビス２２３により固定されている。
【００１８】
次に、ランナー２０と固定レール１４との間のロック機構としては、スライドロックラッチ２３がランナー本体２１の略中央に上下方向に移動可能に取付けられている。このスライドロックラッチ２３は、下縁に複数のラッチ爪２３１を備え、このラッチ爪２３１が固定レール１４の固定穴１４１に嵌まり込むことによりランナー２０が固定レール１４に対してロックされる。スライドロックラッチ２３の中央には、上下方向に延びる透孔２３２が形成されており、ランナー本体２１の長手方向略中央に形成されているガイド穴２１３に軸２１４により上下動可能に支持されている。
【００１９】
そして、このスライドロックラッチ２３の前後側には、略前後対称形状の一対の作動アーム２４が取付けられている。この一対の作動アーム２４は、ランナー本体２１の取付穴２１５に支軸２１６が挿入され、作動アーム２４の略中央の長孔からなる取付孔２４１に挿入される支軸２１６により夫々回動可能に支持されると共に、作動アーム２４の内端側の取付孔２４２に前記スライドロックラッチ２３の透孔２３２と軸２１４を介して夫々連結されており、作動アーム２４の外端側には、セカンドシート１２のレッグフレーム１２４に設けられている操作レバー側のリンク機構と連繋する受けピン２４３が夫々設けられている。
【００２０】
尚、ランナー本体２１のフロント側端末及びリヤ側端末には、レッグフレーム１２４のフロント側に設けられるフック１２５及びリヤ側に設けられるラッチ１２６に係着するストライカー（図示せず）が設けられると共に、このストライカー設置箇所には、シート方向の誤着を防止するためのブラケット２５，２６が夫々取付けられている。
【００２１】
尚、本実施形態は、レフト側のセカンドシート１２に対応したブラケット形状を示すもので、ライト側のセカンドシート１２には、ブラケット形状を相違させるようになっている。
【００２２】
ここで、参考までにセカンドシート１２をランナー２０に取付けた状態でのスライドロック解除機構について図３を基に説明すると、操作レバー３０を図中上方向に操作することにより、ワイヤー３１を図中左方向に引き寄せ、複合リンク３２を連繋動作させ、複合リンク３２の作動端３２ａがランナー２０に設けられている作動アーム２４の受けピン２４３を下側へ押し込み、スライドロックラッチ２３を上方に持ち上げて固定レール１４のロック穴１４１からラッチ爪２３１の係合を解除できるという構成である。
【００２３】
そして、ランナー２０の上面には、樹脂製のスライドカバーフィニッシャー４０が取付けられており、このスライドカバーフィニッシャー４０は本実施形態ではプレート状であるが、ランナー２０の外側面を覆うように断面コ字状の長尺体から構成してもよい。
【００２４】
そして、図４に示す如く、スライドカバーフィニッシャー４０のフロント側及びリヤ側に夫々細長状の切欠４１，４２が設けられている。これら切欠４１，４２はセカンドシート１２のフック１２５及びラッチ１２６の通過を許容するもので、フック１２５をフロント側の切欠４１を通してランナー本体２１に設けられているストライカーに係着した後、リヤ側の切欠４２を通じてラッチ１２６をリヤ側のストライカーに係着することにより、セカンドシート１２がランナー２０に取付けられる。
【００２５】
また、スライドカバーフィニッシャー４０には、セカンドシート１２に設けられているスライドロック解除機構における複合リンク３２の作動端３２ａが嵌まり込むスリット４３，４４が左右２箇所に形成されている。これは、セカンドシート１２のシート方向を前後逆にした時に対応する作動アーム２４に対応させるためである。
【００２６】
更に、本発明においては、２箇所に設置した作動アーム２４のリヤ側の作動アーム２４の後端側、即ち受けピン２４３設置箇所に操作用ノブ２７が取付けられており、且つこの操作用ノブ２７は、スライドカバーフィニッシャー４０に設けた切欠４５を通じて外部に露出する構成になっている。
【００２７】
従って、図５に示すように、セカンドシート１２を取外した状態では、ランナー２０はその表面側にスライドカバーフィニッシャー４０が取付けられているため、複雑な形状に成形されたランナー本体２１が外部に露出せず、ワゴン車１０の室内美観を向上させることができると共に、室内に搭載する荷物類が金属エッジ等に触れて損傷を受けることがなく、搭載荷物類を有効に保護できる。
【００２８】
また、セカンドシート１２を取外した状態で表面側に臨んでいる操作用ノブ２７を押圧操作することにより、ランナー２０と固定レール１４とのロックが解除され、ランナー２０を適正位置にスライド操作することができるため、ランナー２０をスペース上邪魔にならない所望位置に適宜移動させることができるため、使い勝手が向上する。
尚、前述した実施形態は、ワゴン車のセカンドシート１２に適用したが、このセカンドシート１２に限定されることなく、脱着式スライドシートであれば、広く適用することができる。
【００２９】
【発明の効果】
以上が本発明に係る脱着式スライドシートの実施の形態であるが、本発明の請求項１に記載の脱着式スライドシートによれば、シートを取外したランナーの外表面の少なくとも上面は、スライドカバーフィニッシャーで覆われているため、外観上好ましいと共に、搭載荷物類が金属エッジ等により損傷を受けることがなく、荷物類の確実な保護が図れるものである。
【００３０】
また、本発明の請求項２に記載の脱着式スライドシートによれば、ランナーに設けられている作動アームの外側端末には操作用ノブが設けられ、この操作用ノブはスライドカバーフィニッシャーの切欠から外部に露出しているため、ランナーからシートを取外した後、スライドカバーフィニッシャー表面から外部に露出している操作ノブを操作することにより、固定レールに対してランナーのロックを簡単に解除でき、適切位置にランナーを移動することができ、ランナーは荷物類を搭載する際等の支障にならず、使い勝手を向上させることができるものである。
【図面の簡単な説明】
【図１】ワゴン車における通常のシートアレンジ状態を示す説明図。
【図２】ワゴン車におけるセカンドシートを取外してランナーを前後方向にスライド可能にした状態を示す説明図。
【図３】本発明に係る脱着式スライドシートを適用したワゴン車におけるセカンドシートの全体構成を示す側面図。
【図４】図３に示すセカンドシートにおけるランナーの構成を示す分解斜視図。
【図５】図３に示すセカンドシートにおけるランナーの斜視図。
【図６】従来のワゴン車の平面図。
【図７】従来のワゴン車におけるセカンドシートを取外した状態を示す説明図。
【図８】従来のランナーと固定レールとのロック構造を示す説明図。
【符号の説明】
１０    ワゴン車
１１    ファーストシート
１２    セカンドシート
１２１  シートクッション
１２２  シートバック
１２３  シートクッションフレーム
１２４  レッグフレーム
１２５  フック
１２６  ラッチ
２０    ランナー
２１    ランナー本体
２２    ローラー機構
２３    スライドロックラッチ
２３１  ラッチ爪
２４    作動アーム
２４３  受けピン
２５    ブラケット
２６    ブラケット
２７    操作用ノブ
４０    スライドカバーフィニッシャー
４５    切欠
【図１】
0003598020.tif 000002
【図２】
0003598020.tif 000003
【図３】
0003598020.tif 000004
【図４】
0003598020.tif 000005
【図５】
0003598020.tif 000006
【図６】
0003598020.tif 000007
【図７】
0003598020.tif 000008
【図８】
0003598020.tif 000009